(57)【要約】【課題】被測定対象物の周囲に障害物がある場合においても正確に３次元形状を測定することのできる３次元形状測定システムおよび測定された３次元形状によって容易に強度を評価することのできる評価強度評価システムを得ることにある。【解決手段】被測定対象物の３次元表面形状を測定する表面形状測定装置１と、被測定対象物の３次元内面形状を測定する内面形状測定装置２と、被測定対象物の構造材内部の状態を測定する非破壊測定装置３と、この表面形状測定装置、内面形状測定装置、非破壊測定装置によって計測された３次元点群データを入力合成する点群データ変換入力合成装置４と、この点群データ変換入力合成装置によって合成処理した点群データから３次元形状を作成する３次元形状変換処理装置５を有することを特徴とする。【選択図】図１
2010066169.tif 000002
【特許請求の範囲】
【請求項１】
被測定対象物の３次元表面形状を測定する表面形状測定装置と、前記被測定対象物の３次元内面形状を測定する内面形状測定装置と、前記被測定対象物の構造材内部の状態を測定する非破壊測定装置と、この表面形状測定装置、内面形状測定装置、非破壊測定装置によって計測された３次元点群データを入力合成する点群データ変換入力合成装置と、この点群データ変換入力合成装置によって合成処理した点群データから３次元形状を作成する３次元形状変換処理装置を有することを特徴とする、３次元形状測定システム。
【請求項２】
前記表面形状測定装置または内面形状測定装置は、作業員が保持可能なレーザー３次元計測装置または多間接アームであることを特徴とする請求項１記載の３次元形状測定システム。
【請求項３】
前記点群データ変換入力合成装置で３次元点群データを入力合成するための基準座標は被測定対象物が設置された測定場所の壁または天井に設置した複数のレーザー送信機と、前記被測定対象物または被測定対象物の周囲に取り付けた複数のレーザー受信機により、作業施設全体で共通の座標系を利用することを特徴とする請求項１または２記載の３次元形状測定システム。
【請求項４】
前記内部形状測定装置は、被測定対象物の隙間から挿入可能な複数のマイクロＣＣＤスコープから構成されてなることを特徴とする請求項１から３のいずれか１項記載の３次元形状測定システム。
【請求項５】
前記非破壊測定装置は、作業員が保持可能な超音波測定装置と、作業員が保持可能なＸ線測定装置とを有することを特徴とする請求項１から４のいずれか１項記載の３次元形状測定システム。
【請求項６】
請求項１から５記載の３次元形状測定システムによって作成された３次元形状は３次元ＣＡＤモデルであり、この３次元ＣＡＤモデルを用いて有限要素法解析モデルを作成する有限要素法解析モデル作成装置と、この有限要素法解析モデル作成装置によって作成された有限要素法解析モデルによって構造解析を行ないその解析結果から強度評価する解析結果評価装置と、解析結果評価装置から出力された評価データを格納するデータベースとを有することを特徴とする、強度評価システム。
【発明の詳細な説明】
【技術分野】
【０００１】
本発明は、被測定対象物の３次元形状の測定に基づいて上記被測定対象物の解析を行なう３次元形状測定方法および強度評価システムに関する。
【背景技術】
【０００２】
一般に、リバースエンジニアリングにおいては、図面から製品を製作するのではなく、製品から逆にＣＡＤ（computer-aided design）データ等の設計および製造に必要なデータを作成するものであり通常の製造工程とは逆の工程となる。
【０００３】
このようなリバースエンジニアリングとしては、製品の立体モデルから３次元測定器で形状を測定し、設計より得られたＣＡＤデータを補正するものや（例えば特許文献１参照）、２次元の図面およびその実物の３次元データを用いて３次元モデルを生成するもの（例えば特許文献２参照）がある。またＸ線を用いた試料の断面画像から形状測定を行う方法（例えば特許文献３）もある。
【特許文献１】特開2003-242186
【特許文献２】特開2001-184527
【特許文献３】特開2004-317457
【発明の開示】
【発明が解決しようとする課題】
【０００４】
上述したリバースエンジニアリングは被測定対象物を覆う部材などがなく、周囲がある程度広い空間に設置されている条件が必要である。また、データを合成する時に必要となる基準マーカ等を被測定対象物に接着あるいは塗布する作業において、電機機械のような精密製品によっては損傷を与える恐れがある。また、Ｘ線を用いての断面形状測定の方法も検討されているが、大型Ｘ線装置に被測定対象物を設置することが必要で、現地での測定は不可能なものとなっている。
【課題を解決するための手段】
【０００５】
本発明は上述した課題を解決するためになされたものであり、本発明に係る３次元形状測定システムは、被測定対象物の３次元表面形状を測定する表面形状測定装置と、前記被測定対象物の３次元内面形状を測定する内面形状測定装置と、前記被測定対象物の構造材内部の状態を測定する非破壊測定装置と、この表面形状測定装置、内面形状測定装置、非破壊測定装置によって計測された３次元点群データを入力合成する点群データ変換入力合成装置と、この点群データ変換入力合成装置によって合成処理した点群データから３次元形状を作成する３次元形状変換処理装置を有することを特徴とする。
【０００６】
また、本発明に係る強度評価システムは、上記３次元形状測定システムによって作成された３次元形状は３次元ＣＡＤモデルであり、この３次元ＣＡＤモデルを用いて有限要素法解析モデルを作成する有限要素法解析モデル作成装置と、この有限要素法解析モデル作成装置によって作成された有限要素法解析モデルによって構造解析を行ないその解析結果から強度評価する解析結果評価装置と、解析結果評価装置から出力された評価データを格納するデータベースとを有することを特徴とする。
【発明の効果】
【０００７】
本発明に係る３次元形状測定システムおよび強度評価システムにおいては、被測定対象物の周囲に障害物がある場合においても正確に３次元形状を測定することができる。
【発明を実施するための最良の形態】
【０００８】
以下、本発明に係る３次元形状測定システムと強度評価システムの実施の形態について、以下図面を参照して説明する。
【０００９】
（実施例１）  
まず、図１を参照して本発明の実施例１を説明する。図１において本実施例に係る３次元形状測定装置１５は、被測定対象物の３次元表面形状を測定する表面形状測定装置１と、被測定対象物の３次元内部形状を測定する内部形状測定装置２および非破壊計測を行なう非破壊測定装置３を備えている。
【００１０】
この表面形状測定装置１、内部形状測定装置２および非破壊測定装置３によって得られた各測定３次元画像は、点群データ変換入力合成装置４において点群データとして図示しないデータベースに変換入力され、各測定画像は作業領域に決められた３次元全体座標系を基準に合成される。上記３次元測定画像の範囲は各計測器間で重複する部分を設け、上記データ合成においては上記重複部分を重ね合わせることにより複数の測定データから一つの被測定対象物の形状データを作成する。また、上記合成においては、被測定対象物の複数箇所に形状寸法の基準となる丸棒の如きマーカーを装着しておき、そのマーカーの中心を基準にして合成することにより、さらに複雑な被測定対象物のデータ合成を簡便にかつ迅速に実施することができる。特に、マーカーを丸棒とした場合には、どの方位から見てもその丸棒の高さ中心と幅中心の交点を中心基準とすることにより、異なった方位から測定されたデータを簡便に重ね合わせることが可能となる。
【００１１】
このデータベースに入力された合成された点群データは３次元形状変換処理装置である３次元ＣＡＤモデル変換処理装置５において、３点を基準としたポリゴンデータ等に自動的に変換され、使用目的によりさらにＣＡＤデータ等に変換される。この３次元ＣＡＤモデル変換処理装置５において変換されたＣＡＤデータは、有限要素法（ＦＥＭ（Finite Element Method）解析モデル作成装置６によってＦＥＭ構造解析用のモデルに変更され、このモデルを使用して解析結果評価装置７によって構造解析が行なわれその解析結果が表示される。また、この解析結果評価装置７によって解析された解析結果、評価データは図示しないデータベースに格納される。
【００１２】
なお、３次元ＣＡＤモデル変換処理装置としてはポリゴンデータ以外に通常の画像に変換し、作業員がその場で確認する画像データとすることも可能である。
【００１３】
図２に示すように火力発電所等で使用するタービン発電機１６のリプレースのため、ロータ１７等の各部分の形状測定を行う場合、一般的に一時停止から部分分解、形状測定、運転再開、リプレースのための停止という順序となる。ここでの重要部分は発電機を停止している期間を極力少なくすることで、特に形状測定時の発電機の停止はベアリングブラケット１８の上半部分程度を取り外す程度とし、部分的にはベアリングブラケット１８内に作業者が立ち入って測定する必要がある。
【００１４】
通常のレーザーによる３次元形状計測はレーザー発信機（図示せず）を被測定対象部物に照射し、スキャニングすることによって点群データを得るが、上述の発電機のリプレースには一般的な据え置き型スキャナーの適用は空間配置上困難である。そこで本発明では見える部分については作業員が保持できるハンディタイプのレーザースキャナーを用いて非接触により形状を測定する。また対象物の大きさ、形状によってハンディタイプでの測定が困難な場合は、より高精度な測定を実施するために多関節アームの先にレーザーを取り付けて測定を行う。
【００１５】
また見えない部分に関しては、内部形状測定装置および非破壊測定装置を組み合わせて用いることもできる。
【００１６】
よって、この本発明に係る３次元形状測定システムにおいては、被測定対象物の周囲に障害物がある場合においても正確に３次元形状を測定することができる。
【００１７】
また、この３次元形状測定システムによって作成されたＣＡＤデータを用いて、各種の構造解析を行うことによりねじり剛性や振動特性を確実に精度良く把握することが可能となる。
【００１８】
（実施例２）
次に、本発明に係る３次元形状測定システムと強度評価システムの第２の実施の形態について、図３を参照して説明する。
【００１９】
なお、本実施例において実施例１にて示された点群データ変換入力合成装置４以降の構成は同一であるのでそれ以降の構成の説明は省略する。
【００２０】
本実施例は測定器によるデータ合成の基準座標は被測定対象物が設置された測定場所の壁および天井等に設置した複数のレーザー発信機１０と被測定対象物９の見える部分に取り付けた複数のレーザー受信機１１により、作業施設全体で共通の座標系を利用する室内ＧＰＳ方式を活用したことを特徴とする、３次元形状測定システムである。
【００２１】
一般的にはレーザーやＣＣＤカメラ等により測定された点群データはある基準をもとに合成される。例えばレーザーでは球形の基準マーカーやＣＣＤカメラでは直径１５ｍｍ程度の円形シールやさらに反射防止用のスプレーが用いられる。これらは測定物の周囲に十分のスペースが確保されている場合や、シールおよびスプレーを塗布しても問題ない廃却予定品や電機器械器具以外のものには有効であるが、実際のプラントに設置されている機械には絶縁不良やその他の損傷を与える危険性があり不可能である。
【００２２】
そこで本発明では人口衛星を用いたＧＰＳと同様な原理を用いて、周囲の壁、天井等に複数のレーザー発信機１０、被測定対象物９周囲に複数のレーザー受信機１１を設置し、その作業域全体を共通の座標系の設定することにより、合成する点群データの基準とするものである。この方法により被測定対象物に損傷を与えることなく、測定した各種点群データの合成を行なうことができる。
【００２３】
（実施例３）
次に、本発明に係る３次元形状測定システムと強度評価システムの第３の実施の形態について、図４を参照して説明する。
【００２４】
なお、本実施例において実施例１にて示された点群データ変換入力合成装置４以降の構成は同一であるのでそれ以降の構成の説明は省略する。
【００２５】
本実施例３は、内部形状測定装置において、被測定対象物９の微小部分の隙間９aから挿入可能なマイクロＣＣＤスコープ１３を複数利用したことを特徴とする３次元形状測定システムである。マイクロＣＣＤスコープ１３は超小型では直径５ｍｍ程度のものであるため、被測定対象物９の僅かな隙間でもマイクロＣＣＤスコープ１３のスコープヘッドを挿入して詳細形状を測定できる。この測定においては、まず概略の全体形状を撮影によって把握した後、測定部分を検討し測定を行う。マイクロＣＣＤスコープ１３の測定範囲は微小なため、複数のマイクロスコープを同時に用いるほか、同時方向のみではなく、複数の視点から撮影することが、測定時間の短縮および高精度化につながる。また測定画面を１画面に写すことによって、それぞれの撮影状況が把握でき合成を容易に行なうことができる。
【００２６】
（実施例４）
次に、本発明に係る３次元形状測定システムと強度評価システムの第４の実施の形態について、図５を参照して説明する。
【００２７】
なお、本実施例において実施例１にて示された点群データ変換入力合成装置４以降の構成は同一であるのでそれ以降の構成の説明は省略する。
【００２８】
本実施例４は、非破壊計測で内部構造を測定する非破壊測定装置において、作業員が保持できるハンディタイプの超音波測定装置８と作業員が保持できるハンディタイプのＸ線測定装置１９を組み合わせて利用した測定装置としたことを特徴とする３次元形状測定方法と強度評価システムである。
【００２９】
表面から測定可能な状況ではハンディタイプの超音波測定装置８を使用するもので、このプローブには発信、受信共に複数のセンサー１４が設置されているフェーズドアレイ技術を用いることによって、１回の測定において広範囲な形状測定が可能となるものである。
【００３０】
また超音波センサー１４はスキャンする表面１２の凹凸状況に大きく左右されるため、超音波センサーが困難な部位についてはＸ線による測定を実施し、超音波センサーの測定データと組み合わせて形状を把握することができる。
【図面の簡単な説明】
【００３１】
【図１】本発明の第１の実施形態を示す３次元形状測定システムおよび強度評価システムのブロック図。
【図２】本発明の第１の実施形態を説明するタービン発電機のリプレース状態を示す側面図。
【図３】本発明の第２の実施形態を示す３次元形状測定システムおよび強度評価システムの要部斜視図。
【図４】本発明の第３の実施形態を示す３次元形状測定システムおよび強度評価システムの要部説明図。
【図５】本発明の第４の実施形態を示す３次元形状測定システムおよび強度評価システムの要部縦断面図。
【符号の説明】
【００３２】
１…表面形状測定装置、２…内部形状測定装置、３…非破壊測定装置、 ４…点群データ変換入力合成装置、５…３次元ＣＡＤモデル変換処理装置、６…有限要素法解析モデル作成装置、７…解析結果評価装置、８…超音波測定装置、９…被測定対象物、１０…レーザー発信機、１１…レーザー受信機、１２…表面、１３…マイクロＣＣＤスコープ、１４…超音波センサー、１５…３次元形状測定装置、１６…タービン発電機、１７…ロータ、１８…ベアリングブラケット、１９…Ｘ線測定装置。
【図１】
2010066169.tif 000003
【図２】
2010066169.tif 000004
【図３】
2010066169.tif 000005
【図４】
2010066169.tif 000006
【図５】
2010066169.tif 000007